(57)【要約】【課題】十分な強度を持ち、２つの家屋を容易に連結できる、発泡スチロール製の組立式家屋を提供する。【解決手段】本考案による組立式家屋は、ロッジ型ハウスまたはドーム型ハウスまたはロッジ型ハウスとドーム型ハウスを連結した家屋等に適用され、家屋の屋根及び側壁を分断することにより切り出される発泡スチロールからなる複数の分割片と、隣接する分割片の対向する端面に形成される凹部と、隣接する分割片の凹部によって形成された空間内に嵌め込まれることにより隣接する分割片の間に掛け渡される補強部材とを備え、隣接する分割片の対向する端面が接着剤によって接合されることにより組み立てられることを特徴とする。【選択図】図７
0003106723.tif 000002
【実用新案登録請求の範囲】
【請求項１】
家屋の屋根及び側壁を分断することにより切り出される発泡スチロールからなる複数の分割片と、
隣接する分割片の対向する端面に形成される凹部と、
隣接する分割片の凹部によって形成された空間内に嵌め込まれることにより隣接する分割片の間に掛け渡される補強部材とを備え、
隣接する分割片の対向する端面が接着剤によって接合されることにより組み立てられることを特徴とする組立式家屋。
【請求項２】
家屋の屋根及び側壁を分断することにより切り出される発泡スチロールからなる複数の分割片と、
隣接する分割片の対向する端面に形成される凹部と、
隣接する分割片の凹部によって形成された縦方向の空間内にはめ込まれ、横並び状の分割片の間に掛け渡されるＨ鋼からなる主補強部材と、
隣接する分割片の凹部によって形成された横方向の空間内にはめ込まれ、縦並び状の分割片の間に掛け渡される金属パイプからなる副補強部材とを備え、
隣接する分割片の対向する端面が接着剤によって接合されることにより組み立てられることを特徴とする組立式家屋。
【請求項３】
家屋の屋根及び側壁を分断することにより切り出される発泡スチロールからなる複数の分割片と、
隣接する分割片の対向する端面に形成される凹部と、
隣接する分割片の凹部によって形成された空間内に嵌め込まれることにより隣接する分割片の間に掛け渡される補強部材とを備え、
隣接する分割片の対向する端面が接着剤によって接合されることにより組み立てられる少なくとも２つの家屋であって、
一方の家屋に設けられた出入口の周囲に枠体が設けられ、他方の家屋に前記枠体の外形形状に合せた端部が形成され、前記端部を前記枠体に嵌合して接着することにより前記２つの家屋が連結されることを特徴とする組立式家屋。
【請求項４】
家屋の屋根及び側壁を分断することにより切り出される発泡スチロールからなる複数の分割片と、
隣接する分割片の対向する端面に形成される凹部と、
隣接する分割片の凹部によって形成された縦方向の空間内にはめ込まれ、横並び状の分割片の間に掛け渡されるＨ鋼からなる主補強部材と、
隣接する分割片の凹部によって形成された横方向の空間内にはめ込まれ、縦並び状の分割片の間に掛け渡される金属パイプからなる副補強部材とを備え、
隣接する分割片の対向する端面が接着剤によって接合されることにより組み立てられる少なくとも２つの家屋であって、
一方の家屋に設けられた出入口の周囲に枠体が設けられ、他方の家屋に前記枠体の外形形状に合せた端部が形成され、前記端部を前記枠体に嵌合して接着することにより前記２つの家屋が連結されることを特徴とする組立式家屋。
【考案の詳細な説明】
【技術分野】
【０００１】
本考案は、発泡スチロールを構成材とする四辺形の分割片が組み合わされて構成された組立式家屋に関する。
【背景技術】
【０００２】
屋外型の宿泊施設として、木材を利用したバンガローが知られている。しかし、バンガローは建設費がかさむ上に、工事期間も数日間が必要である。また、テント型の宿泊施設は、建設費が安く工事期間は短いが、耐久性がなく居心地感が劣る。
【０００３】
発泡スチロールを基材とする組立式ドーム型ハウスは、建設費がかさまず工事期間が短く、耐久性があり、高級感のある宿泊施設または住居を実現できる。（特許文献１参照）
【０００４】
このような組立式ドーム型ハウスは、通常、発泡スチロールの層がモルタルなどで補強されており、さらにドーム状であることから、それ自体でも十分な強度を有する。しかし、予期しない土砂崩れや落下物など不測の事態を考慮すると、より強固なものとすることが望まれている。
【特許文献１】国際公開番号ＷＯ０１／４４５９３
【考案の開示】
【考案が解決しようとする課題】
【０００５】
本考案の目的は、十分な強度を持ち、２つの家屋を容易に連結できる、発泡スチロール製の組立式家屋を提供することにある。
【課題を解決するための手段】
【０００６】
上記の目的を達成するため、本考案による請求項１に記載の組立式家屋は、家屋の屋根及び側壁を分断することにより切り出される発泡スチロールからなる複数の分割片と、隣接する分割片の対向する端面に形成される凹部と、隣接する分割片の凹部によって形成された空間内に嵌め込まれることにより隣接する分割片の間に掛け渡される補強部材とを備え、隣接する分割片の対向する端面が接着剤によって接合されることにより組み立てられることを特徴とする。
【０００７】
本考案による請求項２に記載の組立式家屋は、家屋の屋根及び側壁を分断することにより切り出される発泡スチロールからなる複数の分割片と、隣接する分割片の対向する端面に形成される凹部と、隣接する分割片の凹部によって形成された縦方向の空間内にはめ込まれ、横並び状の分割片の間に掛け渡されるＨ鋼からなる主補強部材と、隣接する分割片の凹部によって形成された横方向の空間内にはめ込まれ、縦並び状の分割片の間に掛け渡される金属パイプからなる副補強部材とを備え、隣接する分割片の対向する端面が接着剤によって接合されることにより組み立てられることを特徴とする。
【０００８】
本考案による請求項３に記載の組立式家屋は、家屋の屋根及び側壁を分断することにより切り出される発泡スチロールからなる複数の分割片と、隣接する分割片の対向する端面に形成される凹部と、隣接する分割片の凹部によって形成された空間内に嵌め込まれることにより隣接する分割片の間に掛け渡される補強部材とを備え、隣接する分割片の対向する端面が接着剤によって接合されることにより組み立てられる少なくとも２つの家屋であって、一方の家屋に設けられた出入口の周囲に枠体が設けられ、他方の家屋に前記枠体の外形形状に合せた端部が形成され、前記端部を前記枠体に嵌合して接着することにより前記２つの家屋が連結されることを特徴とする。
【０００９】
本考案による請求項４に記載の組立式家屋は、家屋の屋根及び側壁を分断することにより切り出される発泡スチロールからなる複数の分割片と、隣接する分割片の対向する端面に形成される凹部と、隣接する分割片の凹部によって形成された縦方向の空間内にはめ込まれ、横並び状の分割片の間に掛け渡されるＨ鋼からなる主補強部材と、隣接する分割片の凹部によって形成された横方向の空間内にはめ込まれ、縦並び状の分割片の間に掛け渡される金属パイプからなる副補強部材とを備え、隣接する分割片の対向する端面が接着剤によって接合されることにより組み立てられる少なくとも２つの家屋であって、一方の家屋に設けられた出入口の周囲に枠体が設けられ、他方の家屋に前記枠体の外形形状に合せた端部が形成され、前記端部を前記枠体に嵌合して接着することにより前記２つの家屋が連結されることを特徴とする。
【考案の効果】
【００１０】
本考案による請求項１に記載の組立式家屋は、隣接する発泡スチロールからなる分割片の双方の端面に凹部が形成されて、この凹部がなす空間内に補強部材が組み込まれ、接着剤によって接合されるから、要所を押えた十分な強度を持つことができる。また、補強部材は分割片で覆われるから、錆や腐蝕等を防止できる。
本考案による請求項２に記載の組立式家屋は、隣接する発泡スチロールからなる分割片の双方の端面に凹部が形成されて、この凹部がなす空間内に補強部材が組み込まれ接着剤によって接合されると共に、この補強部材が、Ｈ鋼からなる主補強部材と金属パイプからなる副補強部材とで構成され、それぞれ縦方向と横方向に配置したから、十分な強度を持つ。
本考案による請求項３に記載の組立式家屋は、隣接する発泡スチロールからなる分割片の双方の端面に凹部が形成されて、この凹部がなす空間内に補強部材が組み込まれ接着剤によって接合されると共に、一方の家屋の出入口周囲に枠体を設け、他方の家屋にこの枠体の形状に合せた枠体を設けて、両枠体を嵌合して接着可能としたから、容易に居住空間を拡張することができる。
本考案による請求項４に記載の組立式家屋は、隣接する発泡スチロールからなる分割片の双方の端面に凹部が形成されて、この凹部がなす空間内に補強部材が組み込まれ、接着剤によって接合されると共に、この補強部材が、Ｈ鋼からなる主補強部材と金属パイプからなる副補強部材とで構成され、それぞれ縦方向と横方向に配置され、さらに、一方の家屋の出入口周囲に枠体を設け、他方の家屋にこの枠体の形状に合せた枠体を設けて、両枠体を嵌合して接着可能としたから、容易に居住空間を拡張することができる。
【考案を実施するための最良の形態】
【００１１】
以下、図面を参照して、本考案による組立式家屋について説明する。
【実施例１】
【００１２】
実施例１は本考案による組立式家屋がロッジ型ハウスの例であり、図１は組立式のロッジ型ハウス１００の全体斜視図である。複数の分割片を集合して側壁１０および屋根２０を形成し、内部に略直方体状の居住空間を有する。なお、家屋の前後左右方向は図１、２の下部に示すように定義し、以下これに従って各部の構成を説明する。
【００１３】
図１に示すように、側壁１０は、高さ方向および前後方向にそれぞれ分割された略矩形状の複数の分割片１１Ａ、１１Ｂ（以下の説明では、総称して符号１１で代表することもある）と、窓部１２と、ドア部１３とにより構成される。分割片１１の前後端面および上下端面は、隣り合う分割片１１の対向する前後端面および上下端面、窓部１２、ドア部１３の枠体にそれぞれ結合される。
【００１４】
屋根２０は、前後方向および左右方向にそれぞれ分割されて左右方向に丸みをおびた略矩形状の複数の分割片２１Ａ、２１Ｂ、２１Ｃ（以下の説明では、総称して符号２１で代表することもある）により構成される。分割片２１の前後端面および左右端面は、隣り合う分割片２１の対向する前後端面および左右端面にそれぞれ結合される。そして、側壁１０の上部に屋根２０が結合されて家屋が形成される。なお、屋根２０は側壁１０よりも左右外側に突出し、庇が形成される。
【００１５】
家屋の前面には出入口となる入口部３１があり、ガラス製の側壁３０が取り付けられる。側壁３０の上方および左右側方には、複数の分割片３６を組み合わせて形成された庇３５が取り付けられ、入口部３１の周囲三方は庇３５で囲まれている。入口部３１の形状はこれに限るものではない。なお、分割片１１、２１、３６の大きさは運搬性や組立性等を考慮して決定され、必要とされる分割片１１、２１、３６の数は家屋の大きさにより異なる。したがって、側壁１０や屋根２０の分割数は図示のものに限定されない。
【００１６】
分割片１１、２１、３６は、それぞれ発泡倍率が１〜９０倍で厚さが１０〜３０ｃｍ程度の発泡スチロールにより形成される。例えば積雪が最大で８０ｃｍ程度の場合には、発泡倍率２０倍、厚さ２０ｃｍの発泡スチロールからなる分割片とすることができる。なお、同じ強度を得るためには、発泡倍率を大きくすれば厚みが厚くなる。また、積雪を考慮する必要がない地域では、発泡倍率を２０倍より大きくし、あるいは厚みを２０ｃｍ以下に薄くできる。反対に、積雪量が１ｍ以上の地域では、発泡倍率を２０倍以下に小さくして強度を確保するか、厚みを厚くする。
【００１７】
ロッジ型ハウス１００は、複数の分割片１１、２１を接着して接合するから自立可能であるが、本実施の形態では家屋の強度を高めるため、分割片１１、２１の各接合部に強度メンバとして鉄骨部材を組み込んでいる。
【００１８】
図２は、図１のロッジ型ハウスの分解斜視図である。図２に示すように分割片１１の前方および後方には側壁１０の底部から上端部にかけてＨ鋼４０が立設され、分割片２１の前方および後方には屋根２０の左右端部にかけてＨ鋼４１が架設されている。つまり、家屋の鉛直断面に沿って延在するＨ鋼４０、４１が設けられるとともに、Ｈ鋼４０、４１は家屋の長さ方向にわたって所定間隔で設けられている。これらＨ鋼４０、４１に対して、直交するように複数の連結用の金属パイプ４２およびコーナー用の金属パイプ４３が取り付けられ、Ｈ鋼同士が金属パイプ４２、４３を介して連結されている。Ｈ鋼４０、４１は、金属パイプ４２、４３よりも強度が高く、家屋の主補強部材として機能し、金属パイプ４２、４３は副補強部材として機能する。Ｈ鋼４０の上端部とＨ鋼４１の左右端部は、コーナー用の金属パイプ４３を介して結合される。
【００１９】
側壁１１の下端部には断面Ｌ字状のアングル部材４４が前後方向に延設されている。アングル部材４４は基礎上の家屋の位置を決めるもので、Ｈ鋼４０がアングル部材４４にボルト結合される。
【００２０】
図３は、前後方向に互いに隣接する分割片１１、１１の接合部の形状を示すもので、図１のＩＩＩ−ＩＩＩ線断面図である。図３に示すように、各分割片１１、１１の前後端面には、それぞれ成形段階でＨ鋼４０の形状に対応した凹部１１ａが形成されている。符号４０ａ、４０ｃはＨ鋼４０の面部を指す。
図４は、前後方向に互いに隣接する分割片２１、２１の接合部の形状を示すもので、図１のＩＶ−ＩＶ線断面図である。図４に示すように、各分割片２１、２１の前後端面には、それぞれ成形段階でＨ鋼４１の形状に対応した凹部２１ａが形成されている。
【００２１】
図３、図４に示すように、Ｈ鋼４０の前側半分および後側半分は各分割片１１、１１の凹部１１ａ、１１ａにそれぞれ嵌合され、対向する分割片の接触面が接着剤で接着される。また、Ｈ鋼４１の前側半分および後側半分は各分割片２１、２１の凹部２１ａ、２１ａの空間内にそれぞれ嵌合され、接着される。これによりＨ鋼４０および４１は、それぞれ分割片１１の接合面の凹部１１ａおよび分割片２１の接合面の凹部２１ａにより形成された空間内に嵌合され、Ｈ鋼４１および４１の周囲がそれぞれ分割片１１および分割片２１により完全に覆われる。これにより、金属材料の錆，腐蝕，結露を抑制し、家屋としての耐久性、居住性が向上される。
【００２２】
図５は、上下方向に隣接する一対の分割片１１Ａ、１１Ｂの結合部と、左右方向に隣接する一対の分割片２１Ａ、２１Ｂの結合部および屋根２０（分割片は２１Ａ）と側壁１０（分割片は１１Ｂ）の接合部の形状を示した、図１のＶＩ−ＶＩ線断面図である。なお、分割片２１Ｂ、２１Ｃの結合部および分割片２１Ｃ、１１Ｂの嵌合部も図５と同様であり図示は省略する。
【００２３】
図５に示すように、分割片１１Ａ、１１Ｂの上下接合端面には、それぞれ成形段階で連結用の金属パイプ４２の形状に対応した凹部１１ｂが形成される。金属パイプ４２の上半分および下半分は、各分割片１１Ａ、１１Ｂの凹部１１ｂの空間内にそれぞれ嵌合され、対向する分割片１１Ａ、１１Ｂの接触面が接着剤で接着される。これにより金属パイプ４２は一対の分割片１１Ａ、１１Ｂの接合面の凹部１１ｂにより形成された空間内に嵌合される。金属パイプ４２の周囲は、一対の分割片１１Ａ、１１Ｂにより覆われる。分割片１１Ａの下端面には、アングル部材４４の形状に対応した凹部１１ｄが形成され収容される。アングル部材４４は、基礎３００に固定される。
【００２４】
分割片１１Ｂの上端面および分割片２１Ａの下端面には、それぞれ成形段階でコーナー用の金属パイプ４３の形状に対応した凹部１１ｃおよび２１ｂが形成される。金属パイプ４３の上側の金属パイプ４３ａと下側の金属パイプ４３ｂが、それぞれ凹部１１ｃと凹部２１ｂの空間内に嵌合され、対向する分割片１１Ｂ、２１Ａの接触面が、接着剤で接着される。これにより金属パイプ４３、分割片１１Ｂ、２１Ａの接合面の凹部１１ｃ、２１ｂにより形成された空間内に嵌合され、金属パイプ４３の周囲が分割片１１Ｂ、２１Ａにより覆われる。
【００２５】
分割片２１Ａ、２１Ｂの左右接合端面には、それぞれ成形段階で連結用の金属パイプ４２の形状に対応した凹部２１ｃが形成される。金属パイプ４２の左半分および右半分は各分割片２１Ａ、２１Ｂの凹部２１ｃの空間内にそれぞれ嵌合され、接触面が接着剤で接着される。これにより、金属パイプ４２は一対の分割片２１Ａ、２１Ｂの接合面の凹部２１ｃにより形成された空間内に嵌合され、金属パイプ４２の周囲が覆われる。
【００２６】
家屋の耐火性、防火性、耐候性、耐水性、耐傷性、防音性等を高めるため、コンクリートの中にポリマーを配合した樹脂コンクリートなどの塗布材が表面に塗布される。なお、樹脂コンクリートの接合性を高めるためには、表面が粗い方がよく、分割片１１、２１、３６の表面が、例えば凹凸状に形成される。
【実施例２】
【００２７】
実施例２は本考案による組立式家屋がドーム型ハウスの例である。以下、図面を参照して、ドーム型ハウスについて説明する。
【００２８】
図６は、ドーム型ハウス２００の全体斜視図である。実施例１では、側壁１０と屋根２０により、内部空間が略直方体状に形成されたが、実施例２では、内部空間が略半球状のドーム状に形成される。以下、実施例１との相違点を主に説明する。
【００２９】
ドーム型ハウス２００は、発泡スチロールを構成材とする複数の分割片５１Ａ、５１Ｂ、５１Ｃ、５１Ｄ（以下では、総称して５１で代表する場合もある）を組み合わせて形成される。その曲面には、窓部５２やドア部５３が設けられ、頭部には明かり取り用および換気用の天窓４８が設けられる。ドーム型ハウス２００は、複数の分割片５１の接合のみによっても自立可能である。
【００３０】
図７は、ドーム型ハウス２００の分解斜視図である。図７に示すように、主補強部材であるＨ鋼４６が、頭部から基部にかけてドームの子午線方向に立設される。Ｈ鋼４６の上端部は天窓４８の凹部４８ａに嵌合され、Ｈ鋼４６の下端部は基礎上の円周状に配設されたアングル４９にボルト結合される。分割片５ｌの周方向側面には、凹部５ｌａが形成され、この凹部５ｌａの作る空間内にＨ鋼４６が嵌合され、対向する分割片５ｌの周方向接合面が接着剤で接着される。これによりＨ鋼４６は分割片５ｌの接合面の凹部５ｌａにより形成された空間内に嵌合され、Ｈ鋼４６の周囲が隣接する一対の分割片５ｌにより完全に覆われる。
【００３１】
なお、全ての分割片５ｌの周方向接合面にＨ鋼４６が介装されるわけでなく、例えば、窓部５２やドア部５３ではＨ鋼４６が省略される。例えば、窓部５２の上側にある２つの分割片５１Ｃ間にはＨ鋼はなく、それぞれの接合面には、凹部５ｌｃと凸部５ｌｄが設けられ、分割片同士が互いに嵌合され接着されるだけである。なお、窓部５２には窓枠５２ａが装着される。
【００３２】
Ｈ鋼４６には、副補強部材である連結用の金属パイプ４７がボルト結合される。分割片５ｌの上下端面には、それぞれ凹部５ｌｂが形成され、この凹５ｌｂの形成する空間内に金属パイプ４７が嵌合され、対向する分割片５ｌの上下接触面が接着剤で接着される。金属パイプ４７の周囲は分割片５ｌにより覆われる。
【００３３】
このようにして、例えば時計回りにＨ鋼４６と分割片５ｌを交互に取り付けて、ドーム型ハウス２００を形成する。この場合、最後に取り付ける分割片５ｌをドア部５３とすると、ドア部５３の取り付けは次のように行う。
図８（ａ）に示すように、Ｈ鋼４６、４６の内側に分割片５ｌＤを下方から挿入し、分割片５ｌＤの上端部と天窓４８および分割片５ｌＤの側端部とＨ鋼４６、４６をそれぞれ嵌合し接着して固定する。
【００３４】
次いで、図８（ｂ）に示すように、分割片５ｌＤの下方に連結パイプ４７をボルト結合し、分割片５ｌＤの位置を拘束する。さらに、図８（ｃ）に示すように、Ｈ鋼４６、４６の内側に分割片５ｌＣを下方から挿入し、分割片５ｌＣの上端の凹部５ｌｂと金属パイプ４７、および分割片５ｌＣの側端の凹部５ｌｃとＨ鋼４６を接着嵌合する。その後、分割片５ｌＣの下端の凹部５ｌｂに連結パイプ４７を嵌合しつつ、金属パイプ４７の両端をＨ鋼４６にポルト結合する。次いで、Ｈ鋼４６、４６の内側にドア部５３のピース５３ｌ、５３２、５３３、５３４をそれぞれ順番に取り付け接着固定する。
【実施例３】
【００３５】
実施例３は、本考案による組立式家屋がドーム型ハウスとロッジ型ハウスで構成された例である。図９に、ドーム型ハウスとロッジ型ハウスを連結し、内部空間を連通させた組立式家屋の平面図と正面図を示す。
図９に示すように、４つのロッジ型ハウス１０１、１０２、１０３、１０４と３つのドーム型ハウス２０１、２０２、２０３とが互いに連結されている。この場合、ロッジ型ハウス１０１、１０２は、ド−ム型ハウス２０ｌ、２０２、２０３を連通する廊下として機能する。また、ド−ム型ハウス２０２、２０３には、それぞれ専用のロッジ型ハウスｌ０３、ｌ０４も連結され、このロッジ型ハウスには、入口部３ｌが設けられている。このような連結によって、様々なタイプの部屋を有する拡張性の高い組立式家屋を形成することができる。
【００３６】
図１０は、ドーム型ハウスとロッジ型ハウスの連結部を示す斜視図である。
図１０に示すように、ドーム型ハウス２００のドア部の周囲に、ロッジ型ハウス１００の端部の形状に対応した、連結部となる枠体２ｌ０が取り付けられる。枠体２ｌ０を発泡スチロール製とする場合には、ドーム型ハウス２００の表面に接着して取り付けるか、または、ドア部の分割片５ｌと一体に成型しても良い。この枠体２ｌ０に、ロッジ型ハウスｌ００の連結部となる端部ｌｌ０を嵌合して接着する。端部１１０は、ドーム型ハウスの外側面の湾曲面形状に合せているから、連結が容易である。また、端部１１０は、ロッジ型ハウス１００を単独で組み立てて使用する場合でも、その上部が突き出ているので、デザイン性に優れた庇として機能する。
【産業上の利用可能性】
【００３７】
本考案の組立式家屋は、バンガローやテント以上に堅固であり、居住性に優れた居住空間、店舗空間、各種の商業用空間を形成できるから、仮設住宅、簡易住宅、別荘、一般家屋、店舗などに幅広く適用できる。
【図面の簡単な説明】
【００３８】
【図１】本考案による組立式のロッジ型ハウスの全体斜視図である。（実施例１）
【図２】図１の分解斜視図である。（実施例１）
【図３】図１のＩＩＩ−ＩＩＩ線断面図である。（実施例１）
【図４】図１のＩＶ−ＩＶ線断面図である。（実施例１）
【図５】図１のＶＩ−ＶＩ線断面図である。（実施例１）
【図６】本考案による組立式のドーム型ハウスの全体斜視図である。（実施例２）
【図７】図６の分解斜視図である。（実施例２）
【図８】組立式のドーム型ハウスの組立手順を示す図である。（実施例２）
【図９】ドーム型ハウスとロッジ型ハウスを連結し、内部空間を連通させた組立式家屋の平面図と正面図である。（実施例３）
【図１０】連結部を示す斜視図である。（実施例３）
【符号の説明】
【００３９】
１０    側壁
１１    側壁の分割片（総称）
１１Ａ、１１Ｂ    側壁の分割片（個別）
１１ａ、１１ｂ、１１ｃ、１１ｄ    凹部
１２    窓部
１３    ドア部
２０    屋根
２１    屋根の分割片（総称）
２１Ａ、２１Ｂ、２１Ｃ    屋根の分割片（個別）
２１ａ、２１ｂ、２１ｃ    凹部
３０    前後の側壁
３１    入口部
３５    庇
３６    入口部の分割片
４０    Ｈ鋼
４１    Ｈ鋼
４２    連結用の金属パイプ
４３    コーナー用の金属パイプ
４３ａ    上側の金属パイプ
４３ｂ    下側の金属パイプ
４４    アングル部材
４６    Ｈ鋼
４７    連結用の金属パイプ
４８    天窓
４８ａ    天窓の凹部
５１Ａ、５１Ｂ、５１Ｃ、５１Ｄ    ドーム型ハウスの分割片
５１ａ、５１ｂ、５１ｃ、５１ｄ    凹部
５２    窓部
５２ａ    窓枠
５３    ドア部
１００、１０１、１０２、１０３、１０４    ロッジ型ハウス
１１０    ロッジ型ハウスの連結部となる端部
２００、２０１、２０２、２０３    ドーム型ハウス
２１０    ドーム型ハウスの連結部の枠体
３００    基礎
５３１、５３２、  ５３３、５３４    ドア部のピース
【図１】
0003106723.tif 000003
【図２】
0003106723.tif 000004
【図３】
0003106723.tif 000005
【図４】
0003106723.tif 000006
【図５】
0003106723.tif 000007
【図６】
0003106723.tif 000008
【図７】
0003106723.tif 000009
【図８】
0003106723.tif 000010
【図９】
0003106723.tif 000011
【図１０】
0003106723.tif 000012